(57)【要約】【課題】化粧品、医薬品等のパウダーを噴射する際に、空気流用の管路が詰まることがなく、常時噴射口からパウダーを噴射することができる手動式パウダースプレー器具、及び、場所を取らないで収納し携帯できる小型の手動式パウダースプレー容器を提供する。【解決手段】本発明の手動式パウダースプレー器具は、手動により生成した空気流に化粧品、医薬品等のパウダーを混入させて噴射口から噴射するスプレー部を備える手動式パウダースプレー器具であって、前記スプレー部が空気流を通過させる空気流管路と前記パウダーを吸引する吸引管路とを有しており、該吸引管路が前記空気流管路に連通して連通口を形成し、その連通口の反対側の空気流管路内壁の上方に空間を有する内壁空間部が形成されていることを特徴とする。【選択図】図２
2010017643.tif 000002
【特許請求の範囲】
【請求項１】
手動により生成した空気流に化粧品、医薬品等のパウダーを混入させて噴射するスプレー部を備える手動式パウダースプレー器具であって、
前記スプレー部が空気流を通過させる空気流管路と前記パウダーを吸引する吸引管路とを有しており、該吸引管路が前記空気流管路に連通して連通口を形成し、その連通口の反対側の空気流管路内壁の上方に空間を有する内壁空間部が形成されていることを特徴とする手動式パウダースプレー器具。
【請求項２】
前記スプレー部が円柱形状である円柱部と、それに繋がる円錐形状の円錐部と、その円錐部の頭部に繋がる細い円柱形状である細径円柱部からなることを特徴とする請求項１に記載の手動式パウダースプレー器具。
【請求項３】
前記吸引管路が前記空気流管路に直角に連通していることを特徴とする請求項１に記載の手動式パウダースプレー器具。
【請求項４】
前記吸引管路が前記空気流管路に鋭角又は鈍角に連通していることを特徴とする請求項１に記載の手動式パウダースプレー器具。
【請求項５】
前記内壁空間部が円柱状の形状であることを特徴とする請求項１に記載の手動式パウダースプレー器具。
【請求項６】
前記空気流管路の形状が噴射口に向かって末広がり状であることを特徴とする請求項１に記載の手動式パウダースプレー器具。
【請求項７】
前記空気流管路の管路口の面積に対する前記内壁空間部の体積の割合が、好ましくは３．９１〜５．２９の範囲、より好ましくは４．３７〜４．８３の範囲にあることを特徴とする請求項３に記載の手動式パウダースプレー器具。
【請求項８】
前記空気流管路にポンプ部が連通して配置する位置が直線状であることを特徴とする請求項１に記載の手動式パウダースプレー器具。
【請求項９】
前記空気流管路にポンプ部が連通して配置する位置が垂直状であることを特徴とする請求項１に記載の手動式パウダースプレー器具。
【請求項１０】
前記ポンプ部を筒状カバーが上から覆っていることを特徴とする請求項８に記載の手動式パウダースプレー器具。
【請求項１１】
パウダーを収納するパウダー容器の上に、空気流に化粧品、医薬品等のパウダーを混入させて噴射させる手動式パウダースプレー器具を支持する外筒部が嵌合されてなる手動式パウダースプレー容器であって、
前記スプレー部が空気流を通過させる空気流管路と前記パウダーを吸引する吸引管路とを有しており、該吸引管路が前記空気流管路に連通して連通口を形成し、その連通口の反対側の空気流管路内壁の上方に空間を有する内壁空間部が形成されていることを特徴とする手動式パウダースプレー容器。
【請求項１２】
前記内壁空間部が円柱状の形状であることを特徴とする請求項１１に記載の手動式パウダースプレー容器。
【請求項１３】
前記空気流管路の形状が噴射口に向かって末広がり状であることを特徴とする請求項１１又は１２に記載の手動式パウダースプレー容器。
【請求項１４】
前記空気流管路の管路口の面積に対する前記内壁空間部の体積の割合が、好ましくは３．９１〜５．２９の範囲、より好ましくは４．３７〜４．８３の範囲にあることを特徴とする請求項１１に記載の手動式パウダースプレー容器。
【請求項１５】
前記空気流管路にポンプ部が連通して配置する位置が直線状であることを特徴とする請求項１１に記載の手動式パウダースプレー容器。
【請求項１６】
前記空気流管路にポンプ部が連通して配置する位置が垂直状であることを特徴とする請求項１１に記載の手動式パウダースプレー容器。
【発明の詳細な説明】
【技術分野】
【０００１】
本発明は、手動により生成した空気流に化粧品、医薬品等のパウダーを混入させて噴射させる手動式パウダースプレー器具及びそれを用いた手動式パウダースプレー容器に関する。
【背景技術】
【０００２】
化粧品パウダーに用いられるスプレー器具は、空気流源からの空気流を使用してパウダーを噴霧するものが知られている。このスプレー器具は、化粧用のタルカムパウダー３２が容器２８に収納されており、該容器の上部の栓３０に設けられた小さな孔３１の上方に設けた弁２７を引き金４０で開放させて、通路２６が前記通路２１と連通することで、前記パウダー３２を前記空気流中に混入させて噴射させるものである（特許文献１参照）。
手動により生成した空気流に化粧品、医薬品等のパウダーを混入させて噴射するパウダースプレー器具としては、図８に示す手動式吸入器が知られている。粉薬の入ったガラス容器ａの開口部に、金属製細管ｄが固着された金属製蓋ｂが嵌められ、その金属製細管ｄと金属製蓋ｂには複数の細孔ｌ、ｍが設けられており、前記金属製細管ｄの先端にはノズルｈが、後端にはゴム管ｅを介して吸入弁ｇを備えた球状ゴムｆが設けられている。球状ゴムを圧縮することで金属製細管ｄ中の空気流通孔を高速な空気流がノズルに向かって流れ、ガラス瓶中の空気圧が低下することにより、粉薬が空気流に乗って前記複数の細孔ｌ、ｍからノズルに向かって噴射される。なお、図示されていないが、球状ゴムｆがゴム管ｅと連結する部位に逆止弁が設けられている（特許文献２参照）。
【０００３】
【特許文献１】米国特許第２１５３４１９号明細書
【特許文献２】英国特許第５４５５６５号明細書
【発明の開示】
【発明が解決しようとする課題】
【０００４】
ところで、特許文献1のパウダー用スプレー器具は、空気流源、引き金４０等から構成されているので、大きさが大型であるために収納する広い場所が必要であり、また、携帯して手軽に移動できるものではない。
一方、特許文献２の手動式吸入器は、ガラス瓶中の粉薬をノズルから勢いよく噴射させるのに、空気流を生成する球状ゴム、逆止弁、金属製細管ｄ及び複数の細孔ｌ、ｍを用いて空気流に粉薬を混入しているために、粉薬が金属製細管ｄ、複数の細孔ｌ、ｍ等に詰まり粉薬が噴射できない虞がある。この詰まる理由は後に詳述する。
【０００５】
そこで、本発明者は特許文献２のパウダーがノズルに詰まるのを回避するために、試作器として図７に示す構造の手動式パウダースプレー器具２０の開発を行った。
図７は試作器の手動式パウダースプレー器具２０の要部縦断面図である。
図７に示すように、この手動式パウダースプレー器具２０は、外套部８、スプレー部５、管路口５ｂ、噴射口５ｃ、逆止弁２及びポンプ部１から構成されている。そして、スプレー部５が外套部８の頭部に嵌合されており、このスプレー部５と球状ゴム等の弾性部材からなるポンプ部１との間に逆止弁２が設けられている。
【０００６】
手動によりポンプ部１を押すと、流速の速い空気が逆止弁管路２ａ、管路口５ｂ、空気流管路５ａを通って噴射口５ｃからパウダーが噴射される。前記空気流管路５ａの途中には、パウダーを吸引する吸引管路９ａが直角に交叉して取り付けられており、空気流が吸引管路９ａ上を流れると、容器に貯蔵されているパウダーが混入して噴射口５ｃから噴射される。
前記空気流管路５ａが詰まるのを避けるために、空気流管路５ａを末広がりの形状にすると共に、空気流管路５ａの管路口５ｂの直径を大きくしてある。そのことにより空気流管路５ａの詰まりが回避できるか否かを試みた。
【０００７】
ところが、この試作用パウダースプレー器具２０は、何回も使用していると突然に空気流管路５ａが詰まり噴射口５ｃからパウダーを噴射することができなくなる現象が発生することが分かった。そこで、パウダーが詰まる場所を調べた結果、空気流管路５ａの中央付近から右方向になだらかに徐々に傾斜しながら、吸引管路９ａが垂直に取り付けられた管路口５ｂ近傍までの間で、管路底部にパウダーが凝集して詰まっていることが分かった。なお、試作器に用いた前記噴射口５ｃの直径は１．１mmで、前記直角に交叉する噴射口側の管路の直径は０．７mmであることから、空気流管路５ａが非常に細いものである。
そして、上記特許文献２に記載のパウダースプレー器具も、パウダーが通る管路が空気流の通過する管路に連通しており、前記試作器と同じ構造であるから、パウダーが詰まる虞があるものと推定される。
【０００８】
それ故に、本発明は上記した問題点を鑑みてなされたものであり、化粧品、医薬品等のパウダーを噴射する際に、空気流管路が詰まることがなく、常時噴射口からパウダーを噴射することができる手動式パウダースプレー器具、及び、場所を取らないで収納し携帯できる小型の手動式パウダースプレー容器を提供することを目的とする。
【課題を解決するための手段】
【０００９】
本発明者は、その原因としてパウダーが以下に述べる現象が発生することで凝集して詰まるものと考えた。
ポンプ部１を手で押すと空気が逆止弁管路２ａ、空気流管路５ａを流れ、その流速の速い空気流にパウダー管路９ａ、９ａ′の空気が吸引されて、該パウダー管路９ａ、９ａ′内の内部圧力が低圧状態になり、パウダー容器１０内のパウダーが該管路を通って上昇し、流速の速い空気流に混入して噴射口５ｃから噴射される。しかし、前記ポンプ部１から手が離されると、上記空気流の流れが停止して、その瞬間には、前記パウダー管路９ａ、９ａ′内の内部圧力が低圧状態であるために、噴射口５ｃから空気が吸引されて空気の流れが逆流となり、空気流に混入したパウダーが空気流管路５ａからパウダー管路９ａ、９ａ′へと戻されるために、空気流管路５ａの底部にパウダーが堆積する。そのパウダーが堆積した状態が長期にわたって続くと、親水性であるパウダーが空気中の水分により凝集して前記底部にこびり付いてしまう。
【００１０】
前記底部にこびり付いた状態でパウダースプレー器具が何回も使用されると、使用する度ごとにパウダーが空気流管路５ａの底部の凝集パウダーの上に堆積し続けることになり、そのような状態が長期にわたって続くと、前記空気流管路５ａの径が小さくなり突然に空気流管路５ａが詰まってしまうものと推測される。
本発明者は、詰まる原因が上記の現象が発生するためと考え、空気流の流れが停止する瞬間に、空気流管路５ａの底部にパウダーが堆積するのを防止することを、鋭意研究に努めた結果、本発明を完成したものである。
【００１１】
上記課題を解決するために、請求項１に係る発明の手動式パウダースプレー器具は、手動により生成した空気流に化粧品、医薬品等のパウダーを混入させて噴射するスプレー部を備える手動式パウダースプレー器具であって、前記スプレー部が空気流を通過させる空気流管路と前記パウダーを吸引する吸引管路とを有しており、該吸引管路が前記空気流管路に連通して連通口を形成し、その連通口の反対側の空気流管路内壁の上方に空間を有する内壁空間部が形成されていることを特徴とする。
同様に、請求項２に係る発明の手動式パウダースプレー器具は、前記スプレー部が円柱形状である円柱部と、それに繋がる円錐形状の円錐部と、その円錐部の頭部に繋がる細い円柱形状である細径円柱部からなることを特徴とする。
請求項３に係る発明の手動式パウダースプレー器具は、前記吸引管路が前記空気流管路に直角に連通していることを特徴とする。
請求項４に係る発明の手動式パウダースプレー器具は、前記吸引管路が前記空気流管路に鋭角又は鈍角に連通していることを特徴とする。
請求項５に係る発明の手動式パウダースプレー器具は、前記内壁空間部が円柱状の形状であることを特徴とする。
請求項６に係る発明の手動式パウダースプレー器具は、前記吸引管路の形状が前記噴射口に向かって末広がり状であることを特徴とする。
請求項７に係る発明の手動式パウダースプレー器具は、前記空気流管路の噴射口側入口の面積に対する前記内壁空間部の体積の割合が、好ましくは３．９１〜５．２９の範囲、より好ましくは４．３７〜４．８３の範囲にあることを特徴とする。
請求項８に係る発明の手動式パウダースプレー器具は、前記空気流管路にポンプ部が連通して配置する位置が直線状であることを特徴とする。
請求項９に係る発明の手動式パウダースプレー器具は、前記空気流管路にポンプ部が連通して配置する位置が垂直状であることを特徴とする。
請求項１０に係る発明の手動式パウダースプレー器具は、前記ポンプ部を筒状カバーが上から覆っていることを特徴とする。
請求項１１に係る発明の手動式パウダースプレー容器は、パウダーを収納するパウダー容器の上に、空気流に化粧品、医薬品等のパウダーを混入させて噴射させる手動式パウダースプレー器具を支持する外筒部が嵌合されてなる手動式パウダースプレー容器であって、前記スプレー部が空気流を通過させる空気流管路と前記パウダーを吸引する吸引管路とを有しており、該吸引管路が前記空気流管路に連通して連通口を形成し、その連通口の反対側の空気流管路内壁の上方に空間を有する内壁空間部が形成されていることを特徴とする。
請求項１２に係る発明の手動式パウダースプレー容器は、前記内壁空間部が円柱状の形状であることを特徴とする。
請求項１３に係る発明の手動式パウダースプレー容器は、前記吸引管路の形状が前記噴射口に向かって末広がり状であることを特徴とする。
請求項１４に係る発明の手動式パウダースプレー容器は、前記空気流管路の管路口の面積に対する前記内壁空間部の体積の割合が、好ましくは３．９１〜５．２９の範囲、より好ましくは４．３７〜４．８３の範囲にあることを特徴とする。
請求項１５に係る発明の手動式パウダースプレー容器は、前記空気流管路にポンプ部が連通して配置する位置が直線状であることを特徴とする。
請求項１６に係る発明の手動式パウダースプレー容器は、前記空気流管路にポンプ部が連通して配置する位置が垂直状であることを特徴とする。
【発明の効果】
【００１２】
本発明の手動式パウダースプレー器具は内壁空間部を備えることで、スプレー器具を使用する度ごとに空気流管路にパウダーが堆積するのを防ぐことができ、パウダーが凝集して詰まる虞が解消された。
本発明の前記内壁空間部は連通口の反対側の空気流管路内壁の上方に空間を有する内壁空間部が形成する簡単な構成のものであるので、その構成のものを形成する加工が容易なので、短時間に低コストでパウダースプレー器具を作製することができる。
本発明の手動式パウダースプレー容器は、パウダー容器の上に手動式パウダースプレー器具を支持する外筒部を嵌合するものなので、その形状が小型化できると共に場所を取らないで収納し携帯できるものである。特に、ポンプ部を筒状カバーで上から覆うことで、より一層携帯しやすくなり、また、ポンプ部の損傷を回避することができる。
【発明を実施するための最良の形態】
【００１３】
本発明の手動式パウダースプレー器具を実施形態に沿って以下に図面を参照しながら詳細に説明する。
図１、図２及び３は本発明の第１の実施形態を示す。
図１は本発明の手動式パウダースプレー器具を用いた手動式パウダースプレー容器３０の斜視図である。ところで、該手動式パウダースプレー容器３０は図７で示した試作器の手動式パウダースプレー器具２０と同じ構造であり、そして、図２に示す本発明の手動式パウダースプレー器具２０は、内壁空間部を有する点を除いて、図７に示す試作器の手動式パウダースプレー器具２０と同じ構造であるので、本発明の手動式パウダースプレー器具を同じ符号を用いて説明する。
前記手動式パウダースプレー容器３０は、パウダーを収納するパウダー容器の上に、空気流に化粧品、医薬品等のパウダーを混入させて噴射させる手動式パウダースプレー器具２０を支持する外筒部８が嵌合されている。
【００１４】
図２は本発明の手動式パウダースプレー器具２０の第１の実施形態を示す要部縦断図である。
前記スプレー部５は、空気流にパウダーを混入させて噴射するもので、その外観形状が、円柱形状である円柱部５ｄと、それに繋がる円錐形状の円錐部５ｄと、その円錐部５ｄの頭部に繋がる細い円柱形状である細径円柱部５ｅから構成されている。
前記スプレー部５の右側には、ポンプ部１に逆流するのを防止する逆止弁２が設けられており、該逆止弁２は、逆止弁管路２ａ、ボール弁２ｂ及びスプリングが嵌入されているスプリング管路２ｃから構成されている。そして、前記逆止弁２の右側には球状ゴムからなるポンプ部１の開口先端部を挟持するための溝が設けられ、それの左側には先端が円錐形の円筒部２ｄが形成されており、該逆止弁２の管路２ａにポンプ部１が連通して配置する位置が直線状である。
【００１５】
前記スプレー部５は、前記逆止弁２の円錐形状の円筒部２ｄがスプレー部５の円柱部５ｄに嵌合されており、その中心軸に沿って該逆止弁２の逆止弁管路２ａ、スプリング管路２ｃ、空気流管路５ａそして噴射口５ｃが形成されており、ポンプ部１で生成された空気流は、上記各管路を通って噴射口５ｃから噴射される。前記スプリング管路２ｃの噴射口５ｃ側の空気流管路５ａは、噴射口５ｃに向かって徐々にその径が末広がり状に広がっている。
前記スプレー部５には、吸引管路９ａ′が空気流管路５ａ直角に連通し、その連通口の反対側の空気流管路内壁の上方に空間を有する内壁空間部５Ｘが形成されている。内壁空間部５Ｘは円柱状の形状である。
なお、第１〜３の実施の形態は、吸引管路９ａ′が空気流管路５ａに連通する角度を直角として説明しているが、直角に限定されるものではなく、連通する角度が鋭角又は鈍角であっても良い。
【００１６】
外筒部８は手動式パウダースプレー器具２０を支持してパウダー容器１０に嵌合するものである。前記外筒部８の下方端部はパウダー容器１０の肩部１０ｂに嵌合されており、該外筒部８の上方頭部の左右の穴には前記手動式パウダースプレー器具２０が挿入されて嵌合されている。更に、支持部材６の上方には前記スプレー部５を挿入して嵌合する穴が左右方向に形成されていて、その穴の中間部の下方に筒状部材６ｂが下方に突出して形成されている。
前記筒状部材６ｂはパウダーを吸引する吸引管９を挟持するものである。そして、前記支持部材６の下方には、ガスケット７を介してパウダー容器１０の首部１０ａが袴部６ａで挟持されている。
前記逆止弁２の左側には先端が円錐形の円筒部２ｄが形成されていて、その中心軸に沿ってポンプ部１で圧縮された空気が通過する逆止弁管路２ａがくり抜かれており、その逆止弁管路２ａより径が大きいスプリング管路２ｃが連通しており、そのスプリング管路２ｃにボール弁２ｂ及びスプリングが収納されている。
【００１７】
図３は前記スプレー部５の縦断面拡大図である。この図は図６の実施例のスプレー部５と同じ形状のものであるが、図２に示したスプレー部５は、その形状と異なるものである。図３の管路９ａ′は円錐部５ｄの右側に設けられているのに対して、図２のそれは細径円柱部５ｅに設けられている点で相違するが、手動式パウダースプレー器具を作製する際に、どこの位置に管路９ａ′を設けるかは全体の構造からみて設計しやすい位置を選定すればよい。
【００１８】
図２及び図３を参照してスプレー部５の構成を説明する。
前記逆止弁２の先端が円錐形状の円筒部２ｄは、スプレー部５の円柱部５ｄとその先端部の円錐形の外筒部５ｆで嵌合されており、該スプレー部５はその円錐形の外筒部５ｆにより前記管路２ａ′の径が絞られて細くなっており、その細い径の管路はスプレー部５の中心軸に沿って空気流管路５ａと連通されており、噴射口５ｃに向かって徐々に空気流管路５ａの径が末広がりで広がっている。
このように拡径することで噴射口５ｃから噴射されるパウダーを広い領域に飛散させることができる。
【００１９】
本発明のパウダースプレー器具２０は、空気流管路５ａの内壁上に空間を有する内壁空間部５Ｘが形成さている点で、試作器のパウダースプレー器具２０の構成と相違している。
上記したように、前記スプレー部５には、パウダーを吸引する吸引管９のパウダー管路９ａに連通するパウダー管路９ａ′が穿設して設けられており、そして、そのパウダー管路９ａ′が空気流管路５ａに連通して連通口を形成し、その連通口の反対側の空気流管路５ａの内壁の上方に空間を有する内壁空間部５Ｘが形成されている。
【００２０】
ここで、前記スプレー部５が内壁空間部５Ｘを有することで、流速の速い空気流が停止する瞬間に、空気流管路５ａの底部にパウダーが堆積されない理由を説明する。
ポンプ部１を手で押すと空気が空気流管路５ａを流れ、その流速の速い空気流にパウダー管路９ａ、９ａ′の空気が吸引されて、該パウダー管路９ａ、９ａ′内の内部圧力が低圧状態になるために、パウダー容器１０内のパウダーが該管路を通って上昇し、流速の速い空気流に混入して噴射口５ｃから噴射される。それと同時に、内壁空間部５Ｘ中の空気が流速の速い空気流に吸引され、該内壁空間部５Ｘの内部圧力も低圧状態になる。
【００２１】
前記ポンプ部１から手が離されると、上記空気流の流れが停止する。その瞬間には、前記パウダー管路９ａ、９ａ′内の内部圧力及び前記内壁空間部５Ｘの内部圧力が低圧状態であるために、噴射口５ｃから空気が吸引されて空気の流れが逆流となり、その逆流の空気流は、空気流管路５ａから管路口５ｂを通過して、内壁空間部５Ｘの上壁を通ってパウダー管路９ａ、９ａ′へ流れるために、該空気流に混入されているパウダーは、空気流管路５ａの底部に堆積することがない。
【００２２】
図５は本発明の手動式パウダースプレー容器３０の第２の実施形態を示す要部縦断面図である。
図２に示すように、第１の実施形態は、前記ポンプ部１が逆止弁２に直線状に連結されており、ポンプ部１が球状ゴムからなるのに対して、第２の実施形態は、前記ポンプ部１が逆止弁２に垂直状に連結されており、ポンプ部１が蛇腹状弾性体からなることが相違している。それ以外の構造は第1の実施形態の構造と同じであるので、同じ符号を付して記載してある。
【００２３】
また、第1の実施形態の構造と相違する連結状態とポンプ部１を以下に説明するが、それ以外の構造の説明は省略する。
外筒部８は手動式パウダースプレー器具２０を支持してパウダー容器１０に嵌合するものである。
スプレー部５の右側には、ポンプ部１に逆流するのを防止する逆止弁２を嵌合する円柱部５ｄが設けられていて、該逆止弁２には、逆止弁管路２ａ、ボール弁２ｂ及びスプリング２ｃが設けられている。前記逆止弁管路２ａは右側が閉鎖されており、その逆止弁管路２ａの垂直上にポンプ部１に連通した中空パイプ１′が挿入されて逆止弁管路２ａに連通している。ポンプ部１の形状は蛇腹状であり、その蛇腹状のポンプ部１の内部にはコイルばねが設けられており、該ポンプ部１が押圧されて空気流が生成された後に、このばねの復元力により元の形状に戻る。符号１１は筒状カバーであって、ばねが復元するときに外部の空気をポンプ部１に吸入するためのものである。
【００２４】
図６は本発明の手動式パウダースプレー容器３０の第３の実施形態を示す要部縦断面図及び横断面図である。
第２の実施形態がポンプ部１にカバーがないのに対して、第３実施形態は、ポンプ部１にカバーを備えていることが相違している。それ以外の構造は第２の実施形態の構造と同じであるので、同じ符号を付して記載してある。従って、第２の実施形態の構造と相違するポンプ部１のカバーを以下に説明するが、それ以外の構造の説明は省略する。
【００２５】
ポンプ部１はパウダー容器１０の幅より僅かに小さく、その右下端部にポンプ部１に連通した中空パイプ１′が逆止弁２に挿入されて逆止弁管路２ａと連通しており、その左下端部に設けられた支持部材が外筒部８に固定されている。筒状カバー１１が前記ポンプ部１を上から覆って配置されており、該筒状カバー１１の下端部も前記外筒部８の一部を覆っている。図６に示すように、前記筒状カバー１１の内周には中心と対向する位置に凸部材が設けられ、該凸部材が前記外筒部８の外周に設けられた溝部に嵌って摺動するように形成されているので、該筒状カバー１１を押圧する際にがたつくことがなく、容易に上下に動かすことができる。また、前記筒状カバー１１の中央下端部には吸入弁が設けられている。
【００２６】
上記した第３の実施形態の手動式パウダースプレー容器３０は断面形状が球状として説明したが、この形状に限定されるものではなく、楕円状、長方形状等でも可能なものである。上記した第１及び第２の実施形態の手動式パウダースプレー容器３０についても同様である。
【実施例】
【００２７】
図４はスプレー部の実施例の縦断面拡大図である。
図４を参照して、実施形態１、実施形態２及び実施形態３に使用するスプレー部５の実施例を説明する。
スプレー部５は長さが２４．０mm、噴射口５ｃの直径が１．１mm、空気流管路５ａの管路口５ｂの直径が０．７mm、内壁空間部５Ｘの高さが０．５５mm、直径が２．０mmである。
【００２８】
前記空気流管路５ａの管路口５ｂの面積は（０．７／２）２×π＝０．３８であり、前記内壁空間部５Ｘの体積は（２．０／２）２×π×０．５５＝１．７３mm３である。前記管路口５ｂの面積に対する前記内壁空間部５Ｘの体積の割合は４．６である。該割合は好ましくは３．９１〜５．２９の範囲、より好ましくは４．３７〜４．８３の範囲であれば、パウダーが空気流管路５ａに凝集して詰まることはない。なお、前記割合が３．９１より小さいと、逆流の空気流が空気流管路５ａから管路口５ｂを通過して、内壁空間部５Ｘの上壁を通って流れる流量が少ないために、空気流管路５ａの底部に堆積する虞があり、また、５．２９より大きいと、噴射するパウダー量が少なくなり好ましくない。それは、噴射するパウダー量は、ポンプ部１を手で押したときの空気流の流量が前記内壁空間部５Ｘとパウダー管路９ａ、９ａ′の吸引される空気量に比例しているので、前記内壁空間部５Ｘの空気量が大きくなるからである。
【図面の簡単な説明】
【００２９】
【図１】本発明の手動式パウダースプレー器具を用いた手動式パウダースプレー容器の斜視図。
【図２】本発明の手動式パウダースプレー器具の第１の実施形態を示す要部縦断面図。
【図３】スプレー部の縦断面拡大図。
【図４】スプレー部の実施例の縦断面拡大図。
【図５】本発明の手動式パウダースプレー容器の第２の実施形態を示す要部縦断面図。
【図６】本発明の手動式パウダースプレー容器の第３の実施形態を示す要部縦断面図及び横断面図。
【図７】試作器の要部縦断面図。
【図８】特許文献２の手動式吸入器の縦断面図。
【符号の説明】
【００３０】
１    ポンプ部
２    逆止弁
２ａ  逆止弁管路
２ｂ  ボール弁
２ｃ  スプリング管路
２ｄ  円筒部
５    スプレー部
５ａ  空気流管路
５ｂ  管路口
５Ｘ  内壁空間部
６    支持部材
７    ガスケット
８    外套部
９    パウダー管
９ａ  パウダー管路
１１  筒状カバー
２０  手動式パウダースプレー器具
３０  手動式パウダースプレー容器
【図１】
2010017643.tif 000003
【図２】
2010017643.tif 000004
【図３】
2010017643.tif 000005
【図４】
2010017643.tif 000006
【図５】
2010017643.tif 000007
【図６】
2010017643.tif 000008
【図７】
2010017643.tif 000009
【図８】
2010017643.tif 000010